(57)【特許請求の範囲】
【請求項１】
患者ポートと減圧ポートを有する医療キャニスタに解放可能に連結する医療キャニスタ連結器において、前記医療キャニスタ連結器が：
第一減圧送達管と連結する第一連結部材と；
前記医療キャニスタ上の患者ポートに連結し、患者−ポート開口と第一の縦軸を有する患者−ポート取り付け部材であって、前記第一連結部材に連結されている患者−ポート取り付け部材と；
第二減圧送達管に連結する第二連結部材と；
前記医療キャニスタ上の減圧ポートに連結し、減圧ポート開口と第二の縦軸を有する減圧ポート取り付け部材であって、前記第二連結部材に連結されている減圧ポート取り付け部材と；
第一端部と第二端部を有するスペーシング部材であって、前記スペーシング部材の第一端部が前記第一連結部材と連結されており、前記スペーシング部材の第二端部が前記第二連結部材に連結されているスペーシング部材と；を具え、
前記医療キャニスタ連結器が自由位置をとり、前記医療キャニスタが装填位置へ動くように操作可能であり、前記第一の縦軸と前記第二の縦軸の交差により形成された角度（α）が、前記自由位置では約９０°であり、前記装填位置では１００°より大きいことを特徴とする医療キャニスタ連結器。
【請求項２】
前記装填位置での前記角度（α）が１１０°より大きいことを特徴とする請求項１に記載の医療キャニスタ連結器。
【請求項３】
前記装填位置での前記角度（α）が１２０°より大きいことを特徴とする請求項１に記載の医療キャニスタ連結器。
【請求項４】
前記装填位置での前記角度（α）が１４０°より大きいことを特徴とする請求項１に記載の医療キャニスタ連結器。
【請求項５】
前記医療キャニスタが弾性ポリマーを具えることを特徴とする請求項１に記載の医療キャニスタ連結器。
【請求項６】
患者ポートと減圧ポートを有する医療キャニスタに解放可能に連結する医療キャニスタ連結器において、
前記医療キャニスタ連結器が：
第一減圧送達管と連結し、第一圧力検出管と連結する第一連結部材と；
前記医療キャニスタ上の患者ポートに連結し、患者−ポート開口と第一の縦軸を有する患者−ポート取り付け部材であって、前記第一連結部材に連結された患者−ポート取り付け部材と；
第二減圧送達管に連結し第二圧力検出管に連結する第二連結部材と；
前記医療キャニスタ上の減圧ポートに連結し、減圧ポート開口と第二の縦軸を有する減圧ポート取り付け部材と；
第一端部と第二端部を有する圧力輸送部材であって、前記第一端部が前記第一連結部材に連結されており、前記第二端部が前記第二連結部材に連結されている圧力輸送部材と；を具え、
前記医療キャニスタ連結器が自由位置をとり、前記医療キャニスタが装填位置へ動くように操作可能であり、前記第一の縦軸と前記第二の縦軸の交差により形成された角度（α）が、前記自由位置では約９０°であり、前記装填位置では１００°より大きいことを特徴とする医療キャニスタ連結器。
【請求項７】
前記装填位置での角度（α）が１１０°より大きいことを特徴とする請求項６に記載の医療キャニスタ連結器。
【請求項８】
前記装填位置での角度（α）が１２０°より大きいことを特徴とする請求項６に記載の医療キャニスタ連結器。
【請求項９】
前記圧力輸送部材が圧力検出管を固定するよう機能する一のチャネルと複数のクリップを具えることを特徴とする請求項６に記載の医療キャニスタ連結器。
【請求項１０】
前記患者−ポート取り付け部材が、患者−ポート開口を設けた患者−ポート本体を具え、前記患者−ポート開口が内側表面上に複数のシーリングリブを設けた先細の開口を具えることを特徴とする請求項６に記載の医療キャニスタ連結器。
【請求項１１】
前記減圧ポート取り付け部材が、減圧ポート開口を設けた減圧ポート本体を具えることを特徴とする請求項６に記載の医療キャニスタ連結器。
【請求項１２】
前記減圧ポート取り付け部材が、減圧ポート開口を設けた減圧ポート本体を具え、前記減圧ポート開口が内側表面上に複数のシーリングリブを設けた先細の開口を具えることを特徴とする請求項６に記載の医療キャニスタ連結器。
【請求項１３】
前記第一連結部材、前記患者−ポート取り付け部材、前記第二連結部材、前記減圧ポート取り付け部材、及び前記圧力輸送部材がソフトポリマーから一体型ユニットとして形成されることを特徴とする請求項６に記載の医療キャニスタ連結器。
【請求項１４】
前記第一連結部材、前記患者−ポート取り付け部材、前記第二連結部材、前記減圧ポート取り付け部材、及び前記圧力輸送部材が弾性ポリマーから一体型ユニットとして形成されることを特徴とする請求項６に記載の医療キャニスタ連結器。
【請求項１５】
前記第一連結部材、前記患者−ポート取り付け部材、前記第二連結部材、前記減圧ポート取り付け部材、及び前記圧力輸送部材が熱可塑性ポリマー（ＰＶＣ）から一体型ユニットとして形成されることを特徴とする請求項６に記載の医療キャニスタ連結器。
【請求項１６】
ソフト可塑性ポリマーから本体を形成するステップを具える医療キャニスタ連結器の製造方法において、前記本体が：
第一減圧送達管及び第一圧力検出管に連結する第一連結部材と；
前記医療キャニスタ上の患者ポートに連結し、患者−ポート開口と第一の縦軸を有する患者−ポート取り付け部材であって、前記第一連結部材に連結されている患者−ポート取り付け部材と；
第二減圧送達管及び第二圧力検出管と連結する第二連結部材と；
前記医療キャニスタ上の減圧ポートに連結し、減圧ポート開口と第二の縦軸を有する減圧ポート取り付け部材と；
第一端部と第二端部を有する圧力輸送部材であって、前記圧力輸送部材の第一端部が前記第一連結部材に連結されており、前記圧力輸送部材の第二端部が前記第二連結部材に連結されている圧力輸送部材と；を具え、
前記医療キャニスタ連結器が自由位置をとり、前記医療キャニスタが装填位置へ動くよう操作可能であり、前記第一の縦軸と前記第二の縦軸の交差により形成された角度（α）が、前記自由位置では約９０°であり、前記装填位置では１００°より大きいことを特徴とする医療キャニスタ連結器の製造方法。
【請求項１７】
前記ソフト熱可塑性ポリマーから本体を形成するステップが、一体型の本体として前記本体を射出成形するステップを具えることを特徴とする請求項１６に記載の医療キャニスタ連結器の製造方法。
【請求項１８】
前記ソフト熱可塑性ポリマーから本体を形成するステップが、ポリ塩化ビニル（ＰＶＣ）から前記本体を射出成形するステップを具えることを特徴とする請求項１６に記載の医療キャニスタ連結器の製造方法。
【請求項１９】
前記ソフト熱可塑性ポリマーから本体を形成するステップが、シリコーンから前記本体を射出成形するステップを具えることを特徴とする請求項１６に記載の医療キャニスタ連結器の製造方法。
【請求項２０】
前記ソフト熱可塑性ポリマーから本体を形成するステップが、前記本体を熱形成するステップを具えることを特徴とする請求項１６に記載の医療キャニスタ連結器の製造方法。
【請求項２１】
前記ソフト熱可塑性ポリマーから本体を形成するステップが、前記本体を熱硬化するステップを具えることを特徴とする請求項１６に記載の医療キャニスタ連結器の製造方法。
【請求項２２】
患者ポート及び減圧ポートを有する医療キャニスタを第一減圧管、第一圧力検出管、第二減圧管、及び第二圧力検出管に解放可能に連結する方法において：
第一減圧送達管及び第一圧力検出管に連結する第一連結部材と；
前記医療キャニスタ上の患者ポートに連結し、患者−ポート開口と第一の縦軸を有する患者−ポート取り付け部材であって、前記第一連結部材に連結されている患者−ポート取り付け部材と；
第二減圧送達管及び第二圧力検出管と連結する第二連結部材と；
前記医療キャニスタ上の減圧ポートに連結し、減圧ポート開口と第二の縦軸を有する減圧ポート取り付け部材と；
第一端部と第二端部を有する圧力輸送部材であって、前記圧力輸送部材の第一端部が前記第一連結部材に連結されており、前記圧力輸送部材の第二端部が前記第二連結部材に連結されている圧力輸送部材と；を具え、
前記医療キャニスタ連結器が自由位置をとり、前記医療キャニスタが装填位置へ動くよう操作可能である；医療キャニスタ連結器を提供するステップと；
前記第一の縦軸と前記第二の縦軸の交差により形成される角度アルファ（α）が前記装填位置において９０°より大きくなり、前記患者−ポート開口が前記医療キャニスタ上の患者ポートに整合すると同時に前記減圧ポート開口が前記医療キャニスタ上の減圧ポートに整合するように、前記圧力輸送部材上に屈曲力を提供するステップと；
前記屈曲力を解放するステップと；
を具えることを特徴とする医療キャニスタの連結方法。
【請求項２３】
前記第一圧力検出管が前記圧力輸送部材と結合するステップを更に具えることを特徴とする請求項２２に記載の医療キャニスタの連結方法。
【発明の詳細な説明】
【技術分野】
【０００１】
関連出願
本発明は、米国法典第３５巻第１１９条（ｅ）により、２００８年１０月２９日に出願された米国暫定出願第６１／１０９，４３９号、発明の名称”Ａ  Ｍｅｄｉｃａｌ  Ｃａｎｉｓｔｅｒ  Ｃｏｎｎｅｃｔｏｒ ”について利益を主張するものであり、この暫定出願はすべての目的のため参照によりここに援用される。
【背景技術】
【０００２】
本発明は概して治療システム、より具体的には医療キャニスタ連結器及び方法に関するものである。
【０００３】
多くの医療アプリケーションにおいて、血液、腹水、及び創傷からの滲出液といった体液は患者から除去して、廃棄又は処理のために保存する必要がある。これら体液の除去は、治療の第一目的又は二次的な成果である。例えば多くの外科的処置においては、血液を除去するのに吸引を適用するのが一般的である。もう一つの例として、減圧治療又は負圧創傷治療を行うときに体液が除去され、保存又は処理がなされる。
【０００４】
除去された体液は、しばしば医療キャニスタ内で保存される。医療キャニスタは患者からは体液を受けて、減圧源から吸引圧力又は減圧を受ける。キャニスタには様々な大きさとデザインがある。通常この医療キャニスタは、定期的に交換又は除去する必要がある。減圧源をキャニスタに接続して患者管をキャニスタに接続する既存のシステムは重大なエラーの可能性があり、かなりの注意を要する。
【発明の概要】
【０００５】
ここに述べる実施例は既存の医療キャニスタ及びシステムの問題点に取り組むものである。一の実施例によると、患者ポートと減圧ポートを有する医療キャニスタに解放可能に連結する医療キャニスタ連結器は、第一減圧送達管への連結用の第一連結部材と；医療キャニスタ上の患者ポートへの連結用で、患者−ポート開口と第一の縦軸を有する患者−ポート取り付け部材と；を具える。第一患者−ポート取り付け部材は第一連結部材に連結されている。実施例の医療キャニスタ連結器は更に、第二減圧送達管への連結用の第二連結部材と；医療キャニスタ上の減圧ポートとの連結で減圧ポート開口と第二の縦軸とを有する減圧ポート取り付け部材と；第一端部と第二端部を有するスペーシング部材と；を具える。スペーシング部材の第一端部は第一連結部材に連結され、スペーシング部材の第二端部は第二連結部材に連結されている。医療キャニスタ連結器は自由位置を有し、装填位置へ動くように操作可能である。
【０００６】
患者ポートと減圧ポートを有する医療キャニスタに解放可能に連結する医療キャニスタ連結器は、第一減圧送達管と第一圧力検出管に連結するための第一連結部材と；医療キャニスタ上の患者ポートに連結し患者−ポート開口と第一の縦軸を有する患者−ポート取り付け部材と；を具える。第一患者−ポート取り付け部材は第一連結部材に連結されている。医療キャニスタ連結器は更に、第二減圧送達管と第二圧力検出管に連結する第二連結部材と；医療キャニスタ上の減圧ポートへの連結用で減圧ポート開口と第二の縦軸を有する減圧ポート取り付け部材と；第一端部と第二端部を有する圧力輸送部材と；を具える。圧力輸送部材の第一端部は第一連結部材に連結されており、圧力輸送部材の第二端部は第二連結部材に連結されている。医療キャニスタ連結器は自由位置を有し、装填位置へ動くように操作可能である。
【０００７】
医療キャニスタ連結器の製造方法は、ソフト熱可塑性ポリマーから本体を形成して医療キャニスタ連結器を形成するステップを具える。本体を形成するステップには射出成形、熱成形、熱硬化、オーバーモールディング、又は減法機械加工がある。
【０００８】
患者ポートと減圧ポートを有する医療キャニスタを第一減圧管、第一圧力検出管、第二減圧管、及び第二圧力検出管と連結する方法は、医療キャニスタ連結器を提供するステップと；第一の縦軸と第二の縦軸の交差により形成される角度アルファ（α）が９０°より大きくなり、患者−ポート開口が医療キャニスタ上の患者ポートに接続される一方、減圧ポート開口が医療キャニスタ上の減圧ポートに接続されるように、医療キャニスタ連結器の圧力輸送部材に屈曲力を供給するステップと；この屈曲力を解放するステップと；を具える。
【０００９】
実施例の目的、特徴、及び利点は、以下の図面と詳細な説明を参照して明らかになる。
【図面の簡単な説明】
【００１０】
【図１】図１は医療キャニスタ連結器の実施例を含む減圧治療システムの一部を断面で示した模式図である。
【図２】図２は医療キャニスタの一部に示されている図１の医療キャニスタ連結器の斜視図である。
【図３】図３は図１及び２の医療キャニスタ連結器の立面図である。
【図４】図４は図１乃至３の医療キャニスタ連結器の断面図である。
【発明を実施するための形態】
【００１１】
以下実施例の詳細な説明において、明細書の一部を成す添付図面が参照されている。これらの実施例は当業者が本発明を実施できるよう充分詳しく記載されている。その他の実施例を用いることもでき、この発明の精神と範囲から逸脱することなく、論理構造的、機械的、電気的、及び化学的変更を行いうると解すべきである。当業者が本明細書に記載した実施例を実施するのに不要な詳細を回避するため、本明細書では当業者に知られている情報は省略している。以下の詳細な説明は限定した意味に解釈すべきではなく、実施例の範囲は別記の特許請求の範囲によってのみ規定される。
【００１２】
図１−４に関して、最初に図１を参照すると、医療キャニスタ連結器１００の実施例が減圧治療システム１０２の一部として示されている。医療キャニスタ連結器１００は減圧治療システム１０２と関連して示されているが、医療キャニスタ連結器１００は、管を医療キャニスタに連結する必要があるあらゆる治療システムに使用できると解するべきである。治療システムの他の例には、外科的吸引システム、医療ドレナージシステム、又は開腹減圧システムが含まれる。
【００１３】
この実施例では、減圧治療システム１０２は患者の組織部位１０４に減圧治療を提供する。組織部位１０４は、骨組織、脂肪組織、筋肉組織、皮膚組織、脈管組織、上皮組織、結合組織、軟骨、腱、靱帯、又はその他のあらゆる組織を含む、人、動物、その他の生命体の身体組織をいう。組織部位１０４は腹腔のような体腔内のものでもよい。減圧治療システム１０２による治療には、減圧を送りながら又は保護バリアを与えながら、腹水又は滲出液といった体液を除去することが含まれる。
【００１４】
減圧は管１０６を通って減圧インターフェース１０８に送られる。減圧インターフェース１０８は減圧を組織部位１０４に隣接するマニホルド１１０に送る。組織部位１０４は創傷又は組織の損傷部分として示され、表皮１１２及び他の組織層も含む。空気圧シールは、患者に対向する側１１８の接着剤などの取り付け装置１１６を有するシーリング部材１１４により患者の表皮１１２上に形成されている。管１０６はデュアルルーメン管であり、一方のルーメンで減圧を送達して、滲出液又は腹水といった除去した体液を輸送する。管１０６の他方のルーメンは圧力検出ルーメンを提供しており、組織部位１０４の圧力を遠隔測定装置により測れ、あるいは決定できるようにしている。管１０６は更なるルーメンを具えていてもよいが、この例ではデュアルルーメン構造である。
【００１５】
管１０６はインターフェース部材１２０に流体連結又は流体連通している。インターフェース部材１２０は、第一ルーメンを第一減圧管１２２に流体連結し、第二ルーメンを第一圧力検出管１２４に流体連結している。第一減圧管１２２は医療キャニスタ連結器１００の第一連結部材１２６に連結している。第一圧力検出管１２４も第一連結部材１２６に連結している。
【００１６】
図４に明確に示す通り、第一連結部材１２６は第一減圧管開口１２８と第一圧力検出管開口１３０と共に形成することができる。第一圧力検出管開口１３０は、第一圧力検出管１２４の全周囲を受けて包囲する管状入口ポートでもよく、あるいは第一圧力検出管開口１３０は、例えば第一圧力検出管１２４の周囲の一部のみが固定されているチャネル１８６の延長部分又は一部であるチャネル開口でもよい。第一減圧管１２２は、溶剤結合、締まり嵌め、接着剤、又は実質的に流密接続を達成するその他の手段により第一減圧管開口１２８内に連結される。同様に第一圧力検出管１２４は、溶剤結合、締まり嵌め、接着剤、又はその他の手段により第一圧力検出管開口１３０内に連結される。
【００１７】
医療キャニスタ連結器１００はまた、減圧ユニット１３４から減圧を送達する第二減圧管１３２に連結している。減圧ユニット１３４はハウジング１３６内に収納される真空ポンプ（図示せず）、又は他の減圧供給手段などの減圧源を具える。第二減圧管１３２は減圧ハウジングポート１３８からハウジング１３６に入り、減圧ユニット１３４内で減圧源と流体連結している。
【００１８】
医療キャニスタ連結器１００はまた、圧力を減圧ユニット１３４に送達する第二圧力検出管１４０にも連結合している。第二圧力検出管１４０は圧力検出ハウジングポート１４２からハウジング１３６に入る。減圧ユニット１３４のハウジング１３６内の測定装置は、第二圧力検出管１４０を受けて組織部位１０４に存在する圧力を測定又は決定することができる。図に示すように、第一圧力検出管１２４と第二圧力検出管１４０は一体化した管でも良いことに留意すべきである。
【００１９】
医療キャニスタ連結器１００は、第一減圧管１２２及び第二減圧管１３２の医療キャニスタ１４４、及び特に医療キャニスタ１４４の蓋１４６への簡易連結を実現させる。医療提供者が医療キャニスタ連結器１００を一回の動作で医療キャニスタ１４４に取り付けられることが好ましい。すなわち二本の管を一本ずつ二つのポートに連結するのではなく、医療提供者は医療キャニスタ連結器１００を把握して、一回の動作で医療キャニスタ連結器１００を蓋１４６に適用できる。医療キャニスタ連結器１００の使用については、以下に記載する。更に安全対策として、医療キャニスタ連結器１００を第一減圧管１２２と第二減圧管１３２が明らかな偏位なく適切な方法で取り付けられるように構成する。これは治療中のエラーの可能性を最小限に抑え又はなくすためである。代案として、医療キャニスタ連結器１００が例えば内部通路内で、第一圧力検出管１２４内の圧力を第二圧力検出管１４０へ輸送するようにしてもよい。
【００２０】
医療キャニスタ１４４は、正確に好ましくは簡単に管を取り付ける必要があるいかなるキャニスタでもよい。市販の医療キャニスタは患者や医療提供者に経済的利点を提供しており、よって好ましい。医療キャニスタ連結器１００は、特定モデルの医療キャニスタと共に機能する大きさと構造である。例えば一の実施例では、医療キャニスタ１４４は８００ｃｃの疎水性硬質キャニスタであり、これはウイスコンシン州シボイガンホールズのＢｅａｍｉｓ  Ｍａｎｕｆａｃｔｕｒｉｎｇ社より入手できる疎水性遮断フィルタが含まれる。医療キャニスタ連結器１００を、この医療キャニスタと共に機能するよう図に示すコンテキストで更に説明するが、医療キャニスタ連結器１００は寸法や構成部品の配置を調整することにより、容易にその他の市販の医療キャニスタに用いることができると解されている。医療キャニスタ１４４の蓋１４６は患者ポート１４８を有しており、この患者ポートは水平（図１に示す方向）で、減圧ポート１５０又は吸引ポートは垂直（図１に示す方向）である。
【００２１】
前述のように、第一連結部材１２６は第一減圧管１２２及び第一圧力検出管１２４に流体連結している。患者−ポート取り付け部材１５２は、第一連結部材１２６に連合しており、患者−ポート開口１５４を有する患者−ポート取り付け本体１５３を伴って形成されている。患者−ポート取り付け部材１５２の患者−ポート開口１５４には複数のシーリングリブ１５６が形成されており、医療キャニスタ１４４上の患者ポート１４８の締まり嵌めを形成している。患者−ポート開口１５４は医療キャニスタ１４４上の患者ポート１４８の締まり嵌めをより容易にするため先細になっている。この取り付け位置において、患者−ポート開口１５４と患者ポート１４８が実質的に液密に接続される。患者−ポート開口１５４の容積内に第一の縦軸１５７を有する。
【００２２】
ストッパ１５８又はキャップはストラップ１６０で第一連結部材１２６に連結されており、このストッパ１５８は、医療キャニスタ連結器１００を使用しないとき又は交換するときに患者−ポート開口１５４を密封するような大きさと構造をしている。ストッパ１５８を使用することにより、医療キャニスタ連結器１００を使用しないとき又は医療キャニスタ１４４を交換するときに、患者−ポート開口１５４を通る液体の漏れを防止する。
【００２３】
第二連結部材１６２には第二減圧管開口１６４と第二圧力検出管開口１６６が形成されている。溶剤結合、締まり嵌め、接着剤、又は実質的に液密接続を達成するその他の手段により、第二減圧管１３２は第二減圧管開口１６４内に連結される。同様に第二圧力検出管１４０は、溶剤結合、締まり嵌め、接着剤、又はその他の方法により、第二圧力検出管開口１６６内で結合に連結される。第二連結部材１６２は又、減圧ポート開口１７２が形成されている減圧ポート本体１７０を有する減圧ポート取り付け部材１６８を具えている。減圧ポート開口１７２の容積内に第二の縦軸１７４を有する。
【００２４】
第二減圧管開口１６４は減圧ポート開口１７２と交差するまで延在しており、減圧が第二減圧管開口１６４に流れ込み、減圧ポート開口１７２から流れ出てゆく流体経路を形成する。ここで使用しているように“流体”の用語には、気体又は液体が含まれる。減圧ポート開口１７２には、減圧ポート開口１７２の内側表面に複数のシーリングリブ１７６が形成されており、減圧ポート開口１７２が医療キャニスタ１４４の蓋１４６の減圧ポート１５０上に配置されるとき、締まり嵌めを形成している。減圧ポート開口１７２の内側表面は締まり嵌めをより容易にするため先細になっている。この取り付け位置において減圧ポート開口１７２と減圧ポート１５０が実質的に液密に接続される。
【００２５】
第一連結部材１２６と第二連結部材１６２用いて管のサイズを移行できる。例えば、第一減圧管１２２は小さい直径の管であるが、第一連結部材１２６によって第一減圧管１２２は、より径が大きい医療キャニスタ１４４上の患者−ポート１４８に流体連結される。第一連結部材１２６と第二連結部材１６２を用いて管のサイズを小から大へ又は大から小へと移行できる。
【００２６】
一の実施例では、医療キャニスタ連結器１００は、第一減圧管１２２及び第二減圧管１３２に関連する減圧を受けて、これを扱っているだけである。この代替の実施例では、患者−ポート取り付け部材１５２と減圧ポート取り付け部材１６８は、スペーシング部材１８０により離間させて接続し固定されている。
【００２７】
他の実施例では、医療キャニスタ連結器１００は、第一減圧管１２２と第二減圧管１３２に関連する減圧と、第一圧力検出管１２４と第二圧力検出管１４０に関連する減圧を受けてこれを扱っている。この実施例では、圧力輸送部材１７８がスペーシング部材として機能し、患者−ポート取り付け部材１５２と減圧ポート取り付け部材１６８を離間させて接続し固定している。圧力輸送部材１７８は、第一圧力検出管１２４と第二圧力検出管１４０間で減圧の輸送を容易にする。圧力輸送部材１７８による減圧の輸送は、圧力検出管１２４、１４０をと連結している一体型チャンバ又は通路を介して、又は圧力検出管１２４、１４０に流体連結する管を固定するクリップ又はチャネルによるものでもよい。
【００２８】
圧力輸送部材１７８又はスペーシング部材１８０を、医療キャニスタ連結器１００の一部として用いて第一連結部材１２６と第二連結部材１６２をそれらの相対的位置に保持し、更に柔軟性を持たせるようにしてもよい。圧力輸送部材１７８は、第一端部１８２と第二端部１８４を有する。圧力輸送部材１７８の第一端部１８２は第一連結部材１２６に連結されており、圧力輸送部材１７８の第二端部１８４は第二連結部材１６２に連結されている。圧力輸送部材１７８は、医療キャニスタ連結器１００内に形成した中実な管又は通路であってもよく、第一圧力検出管１２４から第二圧力検出管１４０に圧力を輸送する。代替として、図に示すように、第一圧力検出管１２４は医療キャニスタ連結器１００の長さに延びており第一圧力検出管１４０で終わっているので、圧力輸送部材１７８は第一圧力検出管１２４を保持する、例えばチャネル又はクリップといった装置を具えていてもよい。後者の場合、圧力輸送部材１７８は、チャネル１８６と複数のクリップ１８８を有しており、第一圧力検出管１２４／第二圧力検出管１４０を医療キャニスタ連結器１００に解放可能に連結するようにしてもよい。
【００２９】
更に、代替の実施例では、医療キャニスタ連結器１００を第一減圧管１２２と第二減圧管１３２のみと共に使用する場合、スペーシング部材１８０は第一連結部材１２６と第二連結部材１６２を相対位置に保持するが、検出用の減圧は輸送しない。スペーシング部材１８０は第一端部１９０と第二端部１９２を有する。スペーシング部材１８０の第一端部１９０は第一連結部材１２６に連結されており、スペーシング部材１８０の第二端部１９２は第二連結部材１６２と連結されている。スペーシング部材１８０は更に、強度と安定性を提供するためにサポートリブ１９４を具えている。圧力輸送部材１７８とスペーシング部材１８０の両方が装備されている場合は、圧力輸送部材１７８とスペーシング部材１８０を共働させて第一連結部材１２６と第二連結部材１６２を相対位置に保持し、柔軟性を持たせるようにできる。圧力輸送部材１７８とスペーシング部材１８０は同じ部材であってもよい。
【００３０】
医療キャニスタ連結器１００は可撓性材料でできており、患者−ポート開口１５４が医療キャニスタ１４４上の患者ポート１４８に適合し、減圧ポート開口１７２が医療キャニスタ１４４上の減圧ポート１５０に適合するように、限定された方法ではあるが適切に医療キャニスタ連結器１００を動かし、ねじることができる。このように、医療キャニスタ連結器１００は患者−ポート開口１５４と減圧ポート開口１７２が間隔をあけて整列して患者ポート１４８と減圧ポート１５０を同時に係合する自由位置と、患者−ポート開口１５４が患者ポート１４８へ動くと同時に減圧ポート開口１７２が減圧ポート１５０へ動くよう、医療キャニスタ連結器１００が曲げられ配置される装填位置との、少なくとも二つの姿勢をとるよう設計されている。
【００３１】
一の実施例における医療キャニスタ連結器１００の柔軟性又は動きを説明する一の方法は、第一の縦軸１５７と第二の縦軸１７４を参照することである。二次元立面図では、第一の縦軸１５７と第二の縦軸１７４、又は少なくともこれらの投影が角度アルファ（α）を形成するよう交差する。自由位置では、図のように角度アルファ（α）は約９０°である。医療キャニスタ連結器１００を装填位置まで曲げると、角度アルファ（α）は９５°、１００°、１１０°、１２０°、１３０°、１４０°、１５０°、１６０°、１７０°、１８０°又はこれ以上、又はこれらの間のいかなる角度にも拡く。更に医療キャニスタ連結器１００は、圧力輸送部材１７８又はスペーシング部材１８０の周りで軸方向にねじれるか、又は第一の縦軸１５７又は第二の縦軸１７４の周りでねじられていてもよい。このねじれは１°−９０°の間又はそれ以上である。
【００３２】
前記の通り、医療キャニスタ連結器１００は、可撓性材料から形成されており、これによって医療キャニスタ連結器１００が移動し、ねじれる。弾性ポリマーを用いて医療キャニスタ連結器１００を形成することができる。例えば医療キャニスタ連結器１００は、ポリ塩化ビニル（ＰＶＣ）のようなソフト熱可塑性ポリマーや、シリコーンのような熱硬化性ポリマーで形成することができる。柔軟な複合材料といった他のポリマーや材料も使用できる。医療キャニスタ連結器１００は射出成形、熱成形、熱硬化、オーバーモールディング、又は減法機械加工など様々な方法で形成できる。
【００３３】
医療キャニスタ連結器１００を医療キャニスタ１４４の蓋１４６上に適用させる方法はいろいろあるが、ここでは一の実施例のみが示されている。医療キャニスタ連結器１００を取り付ける方法の一例によると、医療提供者が圧力輸送部材１７８又はスペーシング部材１８０の上に自分の手を置き、医療キャニスタ連結器１００を持ち上げて医療キャニスタ１４４の蓋１４６の近くに医療キャニスタ連結器１００を置く。次いで患者−ポート開口１５４を動かして蓋１４６の患者ポート１４８を、少なくとも部分的に患者−ポート開口１５４に入れる。医療提供者は、圧力輸送部材１７８又はスペーシング部材１８０を引っぱる又は回転させる。これによって医療キャニスタ連結器１００が曲がり、角度アルファ（α）が９０°を超える。次いで、まだ整合がとれない場合は、減圧ポート開口１５７の周りで医療キャニスタ連結器１００をねじって、減圧ポート開口１７２を蓋１４６上の減圧ポート１５０に整合させる。医療提供者は患者ポート１４８を患者−ポート開口１５４に少し押し込み、圧力輸送部材１７８又はスペーシング部材１８０上の力を解放して角度アルファ（α）を減少させる。角度アルファ（α）が減少するので、減圧ポート１５０は更に減圧ポート開口１７２内に更に延びる。そこから医療提供者は医療キャニスタ連結器１００を蓋１４６に更に押し付ける。このようにして医療キャニスタ連結器は医療キャニスタ１４４に完全に連結される。医療キャニスタ連結器１００は医療キャニスタ１４４に一方向のみで取り付けられるので、失敗の可能性が減少又は排除される。医療キャニスタ連結器１００は一般に医療提供者によって片手で使用される。
【００３４】
本発明とその利点を所定の非限定的な実施例な実施例に即して開示したが、別記の特許請求の範囲に規定されている本発明の範囲から逸脱しない様々な変更、代替、置換、変更が可能である。
【図１】
0005259831.tif 000002
【図２】
0005259831.tif 000003
【図３】
0005259831.tif 000004
【図４】
0005259831.tif 000005